(57)【要約】  本発明の実施例はアップリンク制御情報を送信するための方法と端末を提供する。該方法は、端末が基地局から送信された第一の指示情報に基づき、アップリンク制御情報を送信するためのターゲット搬送波における第一の時間リソースを確定することと、前記端末が前記基地局から送信された第二の指示情報に基づき、ダウンリンクデータを送信するための前記ターゲット搬送波における第二の時間リソースを確定することと、前記端末が前記アップリンク制御情報を送信するための第三の時間リソースを確定することとを含み、前記第一の時間リソースが前記第二の時間リソースと少なくとも部分的に重なり、前記第三の時間リソースが前記第二の時間リソースの後に位置し、且つ前記第二の時間リソースと予め設定された時間間隔を有する。
2019509651.tif 000002
【特許請求の範囲】
【請求項１】
アップリンク制御情報を送信するための方法であって、
端末が基地局から送信された第一の指示情報に基づき、アップリンク制御情報を送信するためのターゲット搬送波における第一の時間リソースを確定することと、
前記端末が前記基地局から送信された第二の指示情報に基づき、ダウンリンクデータを送信するための前記ターゲット搬送波における第二の時間リソースを確定することと、
前記端末が前記アップリンク制御情報を送信するための第三の時間リソースを確定することと、を含み、
前記第一の時間リソースが前記第二の時間リソースと少なくとも部分的に重なり、
前記第三の時間リソースが前記第二の時間リソースの後に位置し、且つ前記第二の時間リソースと予め設定された時間間隔を有する、
前記アップリンク制御情報を送信するための方法。
【請求項２】
前記方法は、
前記端末が前記第三の時間リソースで前記アップリンク制御情報を送信することをさらに含むことを特徴とする
請求項１に記載の方法。
【請求項３】
前記方法は、
前記第一の時間リソースと前記第三の時間リソースの間の時間間隔がＴより小さい場合、前記端末が前記第三の時間リソースで前記アップリンク制御情報を送信すること、をさらに含み、Ｔが前記アップリンク制御情報の伝送周期を表すことを特徴とする
請求項１に記載の方法。
【請求項４】
前記方法は、
前記第一の時間リソースと前記第三の時間リソースの間の時間間隔が（Ｔ−Ｑ）以下である場合、前記端末が前記第三の時間リソースで前記アップリンク制御情報を送信すること、をさらに含み、Ｔが前記アップリンク制御情報の伝送周期を表し、Ｑが予め設定されたパラメータであることを特徴とする
請求項１に記載の方法。
【請求項５】
前記方法は、
前記端末が前記第三の時間リソースが第一のターゲット情報を送信又は受信するための第四の時間リソースと少なくとも部分的に重なることを確定することと、
前記端末が前記第四の時間リソースで前記第一のターゲット情報のみを送信又は受信することと、をさらに含むことを特徴とする
請求項１に記載の方法。
【請求項６】
前記端末が前記第三の時間リソースが第一のターゲット情報を送信又は受信するための第四の時間情報と少なくとも部分的に重なることを確定する前に、前記方法は、
前記端末が前記第一の時間リソースと前記第三の時間リソースの間の時間間隔がＴより小さく又は（Ｔ−Ｑ）以下であることを確定すること、をさらに含み、Ｔが前記アップリンク制御情報の伝送周期を表し、Ｑが予め設定されたパラメータであることを特徴とする
請求項５に記載の方法。
【請求項７】
前記第一のターゲット情報は、
物理ブロードキャストチャネル（ＰＢＣＨ）、
物理ランダムアクセスチャネル（ＰＲＡＣＨ）、
同期信号、
ＡＣＫ／ＮＡＣＫ情報、
非周期的チャネル状態指示（ＣＳＩ）、
スケジューリングリクエスト（ＳＲ）、
チャネル状態情報測定リファレンス信号（ＣＳＩ−ＲＳ）、
セルリファレンス信号（ＣＲＳ）、及び
アップリンクサウンディングリファレンス信号（ＳＲＳ）のうちの少なくとも一つを含むことを特徴とする
請求項５又は６に記載の方法。
【請求項８】
前記方法は、
前記端末が、前記第三の時間リソースが、第二のターゲット情報を送信又は受信するための第五の時間リソースと少なくとも部分的に重なることを確定することと、
前記端末が前記第三の時間リソース及び／又は前記第五の時間リソースで前記アップリンク制御情報と前記第二のターゲット情報を送信又は受信することとをさらに含むことを特徴とする
請求項１に記載の方法。
【請求項９】
前記端末が前記第三の時間リソースが第二のターゲット情報を送信又は受信するための第五の時間リソースと少なくとも部分的に重なることを確定する前に、前記方法は、
前記端末が前記第一の時間リソースと前記第三の時間リソースの間の時間間隔がＴより小さく又は（Ｔ−Ｑ）以下であることを確定すること、をさらに含み、Ｔが前記アップリンク制御情報の伝送周期を表し、Ｑが予め設定されたパラメータであることを特徴とする
請求項８に記載の方法。
【請求項１０】
前記第二のターゲット情報は、
ＡＣＫ／ＮＡＣＫ情報、
物理アップリンク共有チャネル（ＰＵＳＣＨ）に搬送される情報、
ＳＲ情報、及び
周期的ＣＳＩ情報のうちの少なくとも一つを含むことを特徴とする
請求項８又は９に記載の方法。
【請求項１１】
前記アップリンク制御情報は、
ＳＲ情報、
ＣＳＩ情報のうちの少なくとも一つを含むことを特徴とする
請求項１−１０のいずれか１項に記載の方法。
【請求項１２】
前記ターゲット搬送波はアンライセンスバンドにおける搬送波であることを特徴とする
請求項１−１１のいずれか１項に記載の方法。
【請求項１３】
前記第三の時間リソースは前記第一の時間リソースの時間長に等しいことを特徴とする
請求項１−１２のいずれか１項に記載の方法。
【請求項１４】
アップリンク制御情報を送信するための方法であって、
基地局が端末へ第一の指示情報を送信することと、
前記基地局が前記端末へ第二の指示情報を送信することと、
前記基地局がアップリンク制御情報を送信するための第三の時間リソースを確定することと、を含み、
前記第一の指示情報が前記アップリンク制御情報を送信するためのターゲット搬送波における第一の時間リソースを示すことに用いられ、
前記第二の指示情報がダウンリンクデータを送信するための前記ターゲット搬送波における第二の時間リソースを示すことに用いられ、前記第一の時間リソースが前記第二の時間リソースと少なくとも部分的に重なり、
前記第三の時間リソースが前記第二の時間リソースの後に位置し、且つ前記第二の時間リソースと予め設定された時間間隔を有する、
前記アップリンク制御情報を送信するための方法。
【請求項１５】
前記方法は、
前記基地局が前記第三の時間リソースで前記アップリンク制御情報を受信することをさらに含むことを特徴とする
請求項１４に記載の方法。
【請求項１６】
前記方法は、
前記第一の時間リソースと前記第三の時間リソースの間の時間間隔がＴより小さい場合、前記基地局が前記第三の時間リソースで前記アップリンク制御情報を受信すること、をさらに含み、Ｔが前記アップリンク制御情報の伝送周期を表すことを特徴とする
請求項１４に記載の方法。
【請求項１７】
前記方法は、
前記第一の時間リソースと前記第三の時間リソースの時間間隔が（Ｔ−Ｑ）以下である場合、前記基地局が前記第三の時間リソースで前記アップリンク制御情報を受信し、Ｔが前記アップリンク制御情報の伝送周期を表し、Ｑが予め設定されたパラメータであることをさらに含むことを特徴とする
請求項１４に記載の方法。
【請求項１８】
前記方法は、
前記基地局が前記第三の時間リソースが第一のターゲット情報を送信又は受信するための第四の時間リソースと少なくとも部分的に重なることを確定することと、
前記基地局が前記第四の時間リソースで第一のターゲット情報のみを送信又は受信することとをさらに含むことを特徴とする
請求項１４に記載の方法。
【請求項１９】
前記基地局が前記第三の時間リソースが第一のターゲット情報を送信又は受信するための第四の時間リソースと少なくとも部分的に重なることを確定する前に、前記方法は、
前記基地局が前記第一の時間リソースと前記第三の時間リソースの間の時間間隔がＴより小さく又は（Ｔ−Ｑ）以下であることを確定することをさらに含み、Ｔが前記アップリンク制御情報の伝送周期を表し、Ｑが予め設定されたパラメータであることを特徴とする
請求項１８に記載の方法。
【請求項２０】
前記第一のターゲット情報は
物理ブロードキャストチャネル（ＰＢＣＨ）、
物理ランダムアクセスチャネル（ＰＲＡＣＨ）、
同期信号、
ＡＣＫ／ＮＡＣＫ情報、
非周期的チャネル状態指示（ＣＳＩ）、
スケジューリングリクエスト（ＳＲ）、
チャネル状態情報測定リファレンス信号（ＣＳＩ−ＲＳ）、
セルリファレンス信号（ＣＲＳ）、及び
アップリンクサウンディングリファレンス信号（ＳＲＳ）のうちの少なくとも一つを含むことを特徴とする
請求項１８又は１９に記載の方法。
【請求項２１】
前記方法は、
前記基地局が前記第三の時間リソースが第二のターゲット情報を送信又は受信するための第五の時間リソースと少なくとも部分的に重なることを確定することと、
前記基地局が前記第三の時間リソース及び／又は前記第五の時間リソースで前記アップリンク制御情報と前記第二のターゲット情報を送信又は受信することとをさらに含むことを特徴とする
請求項１４に記載の方法。
【請求項２２】
前記基地局が前記第三の時間リソースが第二のターゲット情報を送信又は受信するための第五の時間リソースと少なくとも部分的に重なることを確定する前に、前記方法は、
前記基地局が前記第一の時間リソースと前記第三の時間リソースの間の時間間隔がＴより小さく又は（Ｔ−Ｑ）以下であることを確定すること、をさらに含み、Ｔが前記アップリンク制御情報の伝送周期を表し、Ｑが予め設定されたパラメータであることを特徴とする
請求項２１に記載の方法。
【請求項２３】
前記第二のターゲット情報は、
ＡＣＫ／ＮＡＣＫ情報、
物理アップリンク共有チャネル（ＰＵＳＣＨ）に搬送される情報、
ＳＲ情報、及び
周期的ＣＳＩ情報のうちの少なくとも一つを含むことを特徴とする
請求項２１又は２２に記載の方法。
【請求項２４】
前記アップリンク制御情報は、
ＳＲ情報、
ＣＳＩ情報のうちの少なくとも一つを含むことを特徴とする
請求項１４−２３のいずれか１項に記載の方法。
【請求項２５】
前記ターゲット搬送波はアンライセンスバンドにおける搬送波であることを特徴とする
請求項１４−２４のいずれか１項に記載の方法。
【請求項２６】
前記第三の時間リソースは前記第一の時間リソースの時間長に等しいことを特徴とする
請求項１４−２５のいずれか１項に記載の方法。
【請求項２７】
端末であって、
基地局から送信された第一の指示情報に基づき、アップリンク制御情報を送信するためのターゲット搬送波における第一の時間リソースを確定するように構成される第一の確定ユニットと、
前記基地局から送信された第二の指示情報に基づき、ダウンリンクデータを送信するための前記ターゲット搬送波における第二の時間リソースを確定するように構成される第二の確定ユニットと、
前記アップリンク制御情報を送信するための第三の時間リソースを確定するように構成される第三の確定ユニットとを備え、
前記第一の時間リソースが前記第二の時間リソースと少なくとも部分的に重なり、
前記第三の時間リソースが前記第二の時間リソースの後に位置し、且つ前記第二の時間リソースと予め設定された時間間隔を有する、
前記端末。
【請求項２８】
前記端末は、
前記第三の時間リソースで前記アップリンク制御情報を送信するように構成される第一の送受信ユニットをさらに備えることを特徴とする
請求項２７に記載の端末。
【請求項２９】
前記端末は、
前記第一の時間リソースと前記第三の時間リソースの間の時間間隔がＴより小さい場合、前記第三の時間リソースで前記アップリンク制御情報を送信するように構成される第二の送受信ユニットをさらに備え、
Ｔが前記アップリンク制御情報の伝送周期を表することを特徴とする
請求項２７に記載の端末。
【請求項３０】
前記端末は、
前記第一の時間リソースと前記第三の時間リソースの間の時間間隔が（Ｔ−Ｑ）以下である場合、前記第三の時間リソースで前記アップリンク制御情報を送信するように構成される第三の送受信ユニットをさらに備え、
Ｔが前記アップリンク制御情報の伝送周期を表し、Ｑが予め設定されたパラメータであることを特徴とする
請求項２７に記載の端末。
【請求項３１】
前記端末は、
前記第三の時間リソースが第一のターゲット情報を送信又は受信するための第四の時間リソースと少なくとも部分的に重なることを確定するように構成される第四の確定ユニットと、
前記第四の時間リソースで前記第一のターゲット情報のみを送信又は受信するように構成される第四の送受信ユニットとをさらに備えることを特徴とする
請求項２７に記載の端末。
【請求項３２】
前記端末は、
前記第一の時間リソースと前記第三の時間リソースの間の時間間隔がＴより小さく又は（Ｔ−Ｑ）以下であることを確定するように構成される第五の確定ユニットをさらに備え、
Ｔが前記アップリンク制御情報の伝送周期を表し、Ｑが予め設定されたパラメータであることを特徴とする
請求項３１に記載の端末。
【請求項３３】
前記第一のターゲット情報は、
物理ブロードキャストチャネル（ＰＢＣＨ）、
物理ランダムアクセスチャネル（ＰＲＡＣＨ）、
同期信号、
ＡＣＫ／ＮＡＣＫ情報、
非周期的チャネル状態指示（ＣＳＩ）、
スケジューリングリクエスト（ＳＲ）、
チャネル状態情報測定リファレンス信号（ＣＳＩ−ＲＳ）、
セルリファレンス信号（ＣＲＳ）、及び
アップリンクサウンディングリファレンス信号（ＳＲＳ）のうちの少なくとも一つを含むことを特徴とすることを特徴とする
請求項３１又は３２に記載の端末。
【請求項３４】
前記端末は、
前記第三の時間リソースが第二のターゲット情報を送信又は受信するための第五の時間リソースと少なくとも部分的に重なることを確定するように構成される第六の確定ユニットと、
前記第三の時間リソース及び／又は前記第五の時間リソースで前記アップリンク制御情報と前記第二のターゲット情報を送信又は受信するように構成される第五の送受信ユニットとをさらに備えることを特徴とする
請求項２７に記載の端末。
【請求項３５】
前記端末は、
前記第一の時間リソースと前記第三の時間リソースの間の時間間隔がＴより小さく又は（Ｔ−Ｑ）以下であることを確定するように構成される第七の確定ユニットをさらに備え、
Ｔが前記アップリンク制御情報の伝送周期を表し、Ｑが予め設定されたパラメータであることを特徴とする
請求項３４に記載の端末。
【請求項３６】
前記第二のターゲット情報は、
ＡＣＫ／ＮＡＣＫ情報、
物理アップリンク共有チャネル（ＰＵＳＣＨ）に搬送される情報、
ＳＲ情報、及び
周期的ＣＳＩ情報のうちの少なくとも一つを含むことを特徴とする
請求項３４又は３５に記載の端末。
【請求項３７】
前記アップリンク制御情報は、
ＳＲ情報、
ＣＳＩ情報のうちの少なくとも一つを含むことを特徴とする
請求項２７−３６のいずれか１項に記載の端末。
【請求項３８】
前記ターゲット搬送波はアンライセンスバンドにおける搬送波であることを特徴とする
請求項２７−３７のいずれか１項に記載の端末。
【請求項３９】
前記第三の時間リソースは前記第一の時間リソースの時間長に等しいことを特徴とする
請求項２７−３８のいずれか１項に記載の端末。
【請求項４０】
基地局であって、
端末へ第一の指示情報を送信するように構成される第一の送受信ユニットと、
前記端末へ第二の指示情報を送信するように構成される第二の送受信ユニットと、
アップリンク制御情報を送信するための第三の時間リソースを確定するように構成される第一の確定ユニットとを備え、
前記第一の指示情報が前記アップリンク制御情報を送信するためのターゲット搬送波における第一の時間リソースを示すことに用いられ、
前記第二の指示情報がダウンリンクデータを送信するための前記ターゲット搬送波における第二の時間リソースを示すことに用いられ、前記第一の時間リソースが前記第二の時間リソースと少なくとも部分的に重なり、
前記第三の時間リソースが前記第二の時間リソースの後に位置し、且つ前記第二の時間リソースと予め設定された時間間隔を有する、
前記基地局。
【請求項４１】
前記基地局は、
前記第三の時間リソースで前記アップリンク制御情報を受信するように構成される第三の送受信ユニットをさらに備えることを特徴とする
請求項４０に記載の基地局。
【請求項４２】
前記基地局は、
前記第一の時間リソースと前記第三の時間リソースの間の時間間隔がＴより小さい場合、前記第三の時間リソースで前記アップリンク制御情報を受信するように構成される第四の送受信ユニットをさらに備え、
Ｔが前記アップリンク制御情報の伝送周期を表すことを特徴とする
請求項４０に記載の基地局。
【請求項４３】
前記基地局は、
前記第一の時間リソースと前記第三の時間リソースの間の時間間隔が（Ｔ−Ｑ）以下である場合、前記第三の時間リソースで前記アップリンク制御情報を受信するように構成される第五の送受信ユニットをさらに備え、
Ｔが前記アップリンク制御情報の伝送周期を表し、Ｑが予め設定されたパラメータであることを特徴とする
請求項４０に記載の基地局。
【請求項４４】
前記基地局は、
前記第三の時間リソースが第一のターゲット情報を送信するための第四の時間リソースと少なくとも部分的に重なることを確定するように構成される第二の確定ユニットと、
前記第四の時間リソースで前記第一のターゲット情報のみを送信又は受信するように構成される第六の送受信ユニットとをさらに備えることを特徴とする
請求項４０に記載の基地局。
【請求項４５】
前記基地局は、
前記第一の時間リソースと前記第三の時間リソースの間の時間間隔がＴより小さく又は（Ｔ−Ｑ）以下であることを確定するように構成される第三の確定ユニットをさらに備え、
Ｔが前記アップリンク制御情報の伝送周期を表し、Ｑが予め設定されたパラメータであることを特徴とする
請求項４４に記載の基地局。
【請求項４６】
前記第一のターゲット情報は、
物理ブロードキャストチャネル（ＰＢＣＨ）、
物理ランダムアクセスチャネル（ＰＲＡＣＨ）、
同期信号、
ＡＣＫ／ＮＡＣＫ情報、
非周期的チャネル状態指示（ＣＳＩ）、
スケジューリングリクエスト（ＳＲ）、
チャネル状態情報測定リファレンス信号（ＣＳＩ−ＲＳ）、
セルリファレンス信号（ＣＲＳ）、及び
アップリンクサウンディングリファレンス信号（ＳＲＳ）のうちの少なくとも一つを含むことを特徴とすることを特徴とする
請求項４４又は４５に記載の基地局。
【請求項４７】
前記基地局は、
前記第三の時間リソースが第二のターゲット情報を送信又は受信するための第五の時間リソースと少なくとも部分的に重なることを確定するように構成される第四の確定ユニットと、
前記第三の時間リソース及び／又は前記第五の時間リソースで前記アップリンク制御情報と前記第二のターゲット情報を送信又は受信するように構成される第七の送受信ユニットとをさらに備えることを特徴とする
請求項４０に記載の基地局。
【請求項４８】
前記基地局は、
前記第一の時間リソースと前記第三の時間リソースの間の時間間隔がＴより小さく又は（Ｔ−Ｑ）以下であることを確定するように構成される第五の確定ユニットをさらに備え、
Ｔが前記アップリンク制御情報の伝送周期を表し、Ｑが予め設定されたパラメータであることを特徴とする
請求項４７に記載の基地局。
【請求項４９】
前記第二のターゲット情報は、
ＡＣＫ／ＮＡＣＫ情報、
物理アップリンク共有チャネル（ＰＵＳＣＨ）に搬送される情報、
ＳＲ情報、及び
周期的ＣＳＩ情報のうちの少なくとも一つを含むことを特徴とする
請求項４７又は４８に記載の基地局。
【請求項５０】
前記アップリンク制御情報は、
ＳＲ情報、
ＣＳＩ情報のうちの少なくとも一つを含むことを特徴とする
請求項４０−４９のいずれか１項に記載の基地局。
【請求項５１】
前記ターゲット搬送波はアンライセンスバンドにおける搬送波であることを特徴とする
請求項４０−５０のいずれか１項に記載の基地局。
【請求項５２】
前記第三の時間リソースは前記第一の時間リソースの時間長に等しいことを特徴とする
請求項４０−５１のいずれか１項に記載の基地局。
【発明の詳細な説明】
【技術分野】
【０００１】
本発明の実施例は、無線通信分野に関し、且つより具体的には、アップリンク制御情報を送信するための方法、端末と基地局に関する。
【背景技術】
【０００２】
ＬＴＥシステムにおけるアップリンク制御情報（アップリンク制御シグナリングと呼ばれてもよい）は、主にスケジューリングリクエスト（ＳＲ：Ｓｃｈｅｄｕｌｉｎｇ  Ｒｅｑｕｅｓｔ）、チャネル状態情報（ＣＳＩ：Ｃｈａｎｎｅｌ  Ｓｔａｔｅ  Ｉｎｆｏｒｍａｔｉｏｎ）、ハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）プロセスにおけるＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｍｅｎｔ）情報などを含む。具体的には、ＳＲは端末が基地局にアップリンク無線リソースをリクエストするシグナリングであり、ＣＳＩは基地局と端末の間のチャネル状態を表す情報である。ＡＣＫ／ＮＡＣＫ情報は、基地局から送信されたデータの受信状況をフィードバックすることに用いられ、例えば、端末は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、それに搬送された伝送ブロック（ＴＢ：Ｔｒａｎｓｐｏｒｔ  Ｂｌｏｃｋ）を復調し、復号する。復号結果が正しい場合、端末は基地局へＡＣＫ情報をフィードバックすることができる。復号結果が正しくない場合、端末は基地局へＮＡＣＫ情報をフィードバックすることができる。
【０００３】
アップリンク制御情報は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介して単独して伝送されてもよく、アップリンクデータと共に物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を介して伝送されてもよい。
【０００４】
無線セルラーシステムは、アンライセンスバンド（Ｕｌｉｃｅｎｓｅｄバンド、例えば２．４ＧＨｚ、５．８ＧＨｚ）を使用し、セルラーシステムで使用可能な周波数範囲を拡張することができる。アンライセンスバンドの使用はライセンスシスタントアクセス（ＬＡＡ：Ｌｉｃｅｎｓｅ  Ａｓｓｉｓｔｅｄ  Ａｃｃｅｓｓ）技術により実現されてもよい。
【０００５】
ＬＡＡの主要な特徴は、（１）アンライセンスバンドの搬送波がライセンスバンドの搬送とアグリゲーションして使用される必要があり、且つアンライセンスバンドの搬送波が補助搬送波のみとして使用されることができること、（２）アンライセンスバンドの搬送波が使用可能になるために競争する必要があり、例えば、アンライセンスバンドでデータを伝送する前に、送信側がアンライセンスバンドの搬送波に対してＬＢＴ（Ｌｉｓｔｅｎ  Ｂｅｆｏｒｅ  Ｔａｌｋ）検出を行う必要があり、搬送波がアイドル状態にあることが確定できるまで、該搬送波を介してデータを伝送することができないことを含む。
【０００６】
アンライセンスバンドでは、基地局は、搬送波がアイドル状態にあることを検出すると、該搬送波における複数の連続するダウンリンクサブフレームでデータを伝送することができ、該複数の連続するダウンリンクサブフレームが通常、ダウンリンクバースト（ｂｕｒｓｔ）と呼ばれ、ダウンリンクバースト（ｂｕｒｓｔ）で伝送されるダウンリンクデータがダウンリンクバーストデータと呼ばれてもよい。一つのダウンリンクバーストに占有された時間リソースの長さは、固定されず、伝送待ちのトラフィック量及びプロトコルに定められた一回における最大占有時間長に関係する。従来技術において、アンライセンスバンドで、アップリンク制御情報は、通常、所定周期に従って送信されるダウンリンクデータは、基地局から送信されたダウンリンクバーストデータの時間リソースと衝突する可能性がある。したがって、アンライセンスバンドでは、アップリンク制御情報がダウンリンクデータの時間リソースと衝突することへの解決策を提供する必要がある。
【発明の概要】
【０００７】
本発明はアップリンク制御情報を送信するための方法、端末と基地局を提供し、アップリンク制御情報がダウンリンクデータの時間リソースと衝突する解決策を提供する。
【０００８】
第一の態様によるアップリンク制御情報を送信するための方法は、端末が基地局から送信された第一の指示情報に基づき、アップリンク制御情報を送信するためのターゲット搬送波における第一の時間リソースを確定することと、前記端末が前記基地局から送信された第二の指示情報に基づき、ダウンリンクデータを送信するための前記ターゲット搬送波における第二の時間リソースを確定し、前記第一の時間リソースが前記第二の時間リソースと少なくとも部分的に重なることと、前記端末が前記アップリンク制御情報を送信するための第三の時間リソースを確定し、前記第三の時間リソースが前記第二の時間リソースの後に位置し、且つ前記第二の時間リソースと予め設定された時間間隔を有することとを含む。
【０００９】
第二の態様によるアップリンク制御情報を送信するための方法は、基地局が端末へ第一の指示情報を送信し、前記第一の指示情報がアップリンク制御情報を送信するためのターゲット搬送波における第一の時間リソースを示すことに用いられることと、前記基地局が前記端末へ第二の指示情報を送信し、前記第二の指示情報がダウンリンクデータを送信するための前記ターゲット搬送波における第二の時間リソースを示すことに用いられ、前記第一の時間リソースが第二の時間リソースと少なくとも部分的に重なることと、前記基地局が前記アップリンク制御情報を送信するための第三の時間リソースを確定し、前記第三の時間リソースが前記第二の時間リソースの後に位置し、且つ前記第二の時間リソースと予め設定された時間間隔を有することとを含む。
【００１０】
第三の態様による端末は、基地局から送信された第一の指示情報に基づき、アップリンク制御情報を送信するためのターゲット搬送波における第一の時間リソースを確定するように構成される第一の確定ユニットと、前記基地局から送信された第二の指示情報に基づき、ダウンリンクデータを送信するための前記ターゲット搬送波における第二の時間リソースを確定するように構成され、前記第一の時間リソースが前記第二の時間リソースと少なくとも部分的に重なる第二の確定ユニットと、前記アップリンク制御情報を送信するための第三の時間リソースを確定するように構成され、前記第三の時間リソースが前記第二の時間リソースの後に位置し、且つ前記第二の時間リソースと予め設定された時間間隔を有する第三の確定ユニットとを備える。
【００１１】
第四の態様による基地局は、端末へ第一の指示情報を送信するように構成され、前記第一の指示情報がアップリンク制御情報を送信するためのターゲット搬送波における第一の時間リソースを示すことに用いられる第一の送受信ユニットと、前記端末へ第二の指示情報を送信するように構成され、前記第二の指示情報がダウンリンクデータを送信するための前記ターゲット搬送波における第二の時間リソースを示すことに用いられ、前記第一の時間リソースが前記第二の時間リソースと少なくとも部分的に重なる第二の送受信ユニットと、前記アップリンク制御情報を送信するための第三の時間リソースを確定するように構成され、前記第三の時間リソースが前記第二の時間リソースの後に位置し、且つ前記第二の時間リソースと予め設定された時間間隔を有する第一の確定ユニットとを備える。
【００１２】
第五の態様によるコンピュータ可読媒体は、端末で実行されるプログラムコードを記憶するように構成され、前記プログラムコードが第一の態様による方法を実行するためのコマンドを含む。
【００１３】
第六の態様によるコンピュータ可読媒体は、基地局で実行されるプログラムコードを記憶するように構成され、前記プログラムコードが第二の態様による方法を実行するためのコマンドを含む。
【００１４】
本発明では、第一の時間リソース（アップリンク制御情報を送信するための時間リソース）が第二の時間リソース（ダウンリンクデータを送信するためのダウンリンクリソース）と衝突する場合、端末はアップリンク制御情報を送信するための第三の時間リソースを再確定し、該第三の時間リソースが前記第二の時間リソースの後に位置し、且つ前記第二の時間リソースと予め設定された時間間隔を有する。このような衝突解決策はダウンリンクデータの一回きりの送信で済ませることを保証することだけでなく、アップリンク制御情報の直接スルーを回避し、ダウンリンクデータを分割して複数回送信する解決策と比較し、不必要なＬＢＴプロセスを回避することができ、アップリンク制御情報を直接スルーする解決策と比較し、アップリンク制御情報がスルーされる確率を下げることができる。
【図面の簡単な説明】
【００１５】
【図１】アンライセンススペクトルにおけるターゲット搬送波の時間リソース占有状況の一例を示す図である。
【図２】衝突解決策の一例を示す図である。
【図３】本発明の実施例に係るアップリンク制御情報を送信するための方法の概略フローチャートである。
【図４】本発明の実施例に係る衝突解決策の一例を示す図である。
【図５】本発明の実施例に係る衝突解決策の一例を示す図である。
【図６】本発明の実施例に係るアップリンク制御情報を送信するための方法の概略フローチャートである。
【図７】本発明の実施例に係る端末の概略構成図である。
【図８】本発明の実施例に係る端末の概略構成図である。
【図９】本発明の実施例に係る基地局の概略構成図である。
【図１０】本発明の実施例に係る基地局の概略構成図である。
【発明を実施するための形態】
【００１６】
本発明の実施例の技術的な解決策をより明確に説明するため、以下に実施例に必要な図面を簡単に説明するが、明らかに、以下に記載する図面は本発明のいくつかの実施例だけであり、当業者であれば、創造的な労力を要することなく、これらの図面に基づいて他の図面を得ることができる。
【００１７】
図１はアンライセンススペクトルにおけるターゲット搬送波の時間リソース（又は時間ドメインリソース）占有状況の一例を示す図である。基地局は、ダウンリンクデータを送信する前に、先にＬＢＴプロセスを行い、チャネルがアイドル状態であるか否かを監視する必要がある。基地局は、チャネルリソースを取得した後、ダウンリンクデータの送信を開始する。図１から分かるように、基地局は、連続する１０個のサブフレーム（即ち１０ｍｓのダウンリンクバースト）でダウンリンクバーストデータを送信する必要があり、端末が、定められた周期にしたがって、該１０個のサブフレームのうちの５番目のサブフレームでアップリンク制御情報（図１でＳＲを例とする）を送信しようと仮定した場合、アップリンク制御情報を送信するための時間リソースはダウンリンクデータを送信するための時間リソースと衝突する。
【００１８】
一つの例において、端末は５番目のサブフレームでＳＲ又は周期的ＣＳＩ（ＣＳＩが周期的ＣＳＩと非周期的ＣＳＩに分けられてもよい）を伝送しなくてもよく、基地局は、ダウンリンクバーストが完了するまでダウンリンクデータの送信を継続する。このようにして大きなダウンリンクバーストを複数の小さなダウンリンクバーストに分割することを回避し、ＬＢＴプロセスの回数を減少させることができる。しかし、このようにした場合、端末がアップリンク制御情報をスルーしてしまい、システムに悪影響を及ぼすことになる。例えば、アップリンク制御情報がＳＲであり、端末がＳＲをスルーすると、基地局は端末のサービスリクエストをタイムリーに把握することができず、サービス遅延増加の可能性がある。また、例えばアップリンク制御情報が周期的ＣＳＩであり、端末が周期的ＣＳＩをスルーすると、基地局は、チャネル状態をタイムリーに把握することができない可能性があり、それによってチャネル状態に基づいてスケジューリング情報（例えば変調及び符号化レベル、プリコーディングなど）をタイムリーに調整することができず、伝送効率を低下させる。
【００１９】
別の例において、図２に示すように、基地局は、スケジューリングにより、大きなバーストを複数の小さなダウンリンクバーストに分割することができる。該方式はアップリンク制御情報のスルーが回避できるが、一つの大きなダウンリンクバーストが複数の小さなダウンリンクバーストに分割されると、基地局は、余分なＬＢＴプロセスを追加する必要があり、ダウンリンク伝送効率を低下させる。
【００２０】
図３は本発明の実施例におけるアップリンク制御情報を送信するための方法の概略フローチャートである。図３の方法は以下のステップを含む。
【００２１】
３１０において、端末は、基地局から送信された第一の指示情報に基づき、アップリンク制御情報を送信するためのターゲット搬送波における第一の時間リソースを確定する。
【００２２】
いくつかの実施例において、ターゲット搬送波はアンライセンスバンドにおける搬送波であってもよい。
【００２３】
３２０において、前記端末は、前記基地局から送信された第二の指示情報に基づき、ダウンリンクデータを送信するための前記ターゲット搬送波における第二の時間リソースを確定し、前記第一の時間リソースが前記第二の時間リソースと少なくとも部分的に重なる。
【００２４】
３３０において、前記端末は、前記アップリンク制御情報を送信するための第三の時間リソースを確定し、前記第三の時間リソースが前記第二の時間リソースの後に位置し、且つ前記第二の時間リソースと予め設定された時間間隔を有する。
【００２５】
具体的には、図４を参照すると、第一の時間リソースはダウンリンクバーストに対応する１０個のサブフレーム（１０ｍｓ）であり、第二の時間リソースはダウンリンクバーストの５番目のサブフレーム（ＳＲサブフレームを例とすると、実際には周期的ＣＳＩを送信するためのサブフレーム、ＡＣＫ／ＮＡＣＫを送信するためのサブフレームであってもよい）である。図４から分かるように、ＳＲサブフレームはダウンリンクバーストの５番目のサブフレームからダウンリンクバースト後のＡｍｓ（即ち予め設定された時間間隔がＡｍｓである）に後へシフトされる。一つの実施例において、予め設定された時間間隔は定められた時間間隔、又は基地局とＵＥの間に予め設定された時間間隔であってもよい。
【００２６】
本発明の実施例において衝突解決策が提供され、第一の時間リソース（アップリンク制御情報を送信するための時間リソース）が第二の時間リソース（ダウンリンクデータを送信するためのダウンリンクリソース）と衝突する場合、端末は、アップリンク制御情報を送信するための第三の時間リソースを再確定し、該第三の時間リソースが前記第二の時間リソースの後に位置し、且つ前記第二の時間リソースと予め設定された時間間隔を有する。このような衝突解決策は、ダウンリンクデータの一回きりの送信で済ませることを保証するだけでなく、アップリンク制御情報の直接スルーを回避し、ダウンリンクデータを分割して複数回送信する解決策と比較し、不必要なＬＢＴプロセスを回避することができ、アップリンク制御情報を直接スルーする解決策と比較し、アップリンク制御情報がスルーされる確率を下げることができる。
【００２７】
いくつかの実施例において、時間リソースは一つ又は複数のサブフレームであってもよい。
【００２８】
いくつかの実施例において、図３の方法は、第二の時間リソースで前記ダウンリンクデータを送信することをさらに含むことができる。
【００２９】
いくつかの実施例において、図３の方法は、前記端末が前記第三の時間リソースで前記アップリンク制御情報を送信することをさらに含むことができる。
【００３０】
本発明の実施例において、第三の時間リソースでダウンリンクデータを送信することにより、アップリンク制御情報がスルーされないことを保証する。
【００３１】
いくつかの実施例において、図３の方法は、前記第一の時間リソースと前記第三の時間リソースの間の時間間隔がＴより小さい場合、前記端末が前記第三の時間リソースで前記アップリンク制御情報を送信し、Ｔが前記アップリンク制御情報の伝送周期を表すことをさらに含むことができる。さらに、前記第一の時間リソースと前記第三の時間リソースの間の時間間隔がＴ以上である場合、前記端末は該アップリンク制御情報をスルーすることができる。
【００３２】
一つの例において、図５を参照し、第三の時間リソースと第一の時間リソースの間の時間間隔がＳＲサブフレームの周期Ｔより小さい場合、第三の時間リソースでアップリンク制御情報を送信することができる。
【００３３】
いくつかの実施例において、図３の方法は、前記第一の時間リソースと前記第三の時間リソースの間の時間間隔が（Ｔ−Ｑ）以下である場合、前記端末が前記第三の時間リソースで前記アップリンク制御情報を送信し、Ｔが前記アップリンク制御情報の伝送周期を表し、Ｑが予め設定されたパラメータであることをさらに含むことができる。
【００３４】
端末によって再確定された第三の時間リソースが他の情報、信号又はチャネルに割り当てられた時間リソースと再度衝突すると、以下に具体的な実施例を組み合わせていくつかの衝突解決策を考案する。
【００３５】
いくつかの実施例において、図３の方法は、前記端末が前記第三の時間リソースが第一のターゲット情報を送信又は受信するための第四の時間リソースと少なくとも部分的に重なる（又は、第四の時間リソースが第一のターゲット情報に事前に占有された）ことを確定することと、前記端末が前記第四の時間リソースで前記第一のターゲット情報のみを送信又は受信し、前記アップリンク制御情報を送信しないこととを含むことができる。
【００３６】
本発明の実施例において、第三の時間リソースが第一のターゲット情報を送信又は受信するための第四の時間リソースと衝突する場合、アップリンク制御情報をスルーし、第四の時間リソースで第一のターゲット情報を送信することができる。このようにして第一のターゲット情報のスムーズな送信を保証することができる。
【００３７】
具体的には、いくつかの実施例において、第三の時間リソースが第四の時間リソースと完全に重なってもよい。いくつかの実施例において、第一のターゲット情報はアップリンク制御情報の優先度よりも高い情報であってもよい。前記第一のターゲット情報は、物理ブロードキャストチャネル（ＰＢＣＨ：Ｐｈｙｓｉｃａｌ  Ｂｒｏａｄｃａｓｔ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、同期信号、ＡＣＫ／ＮＡＣＫ情報、非周期的ＣＳＩ、ＳＲ、チャネル状態情報測定リファレンス信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、セルリファレンス信号（ＣＲＳ：Ｃｅｌｌ  Ｒｅｆｅｒｅｎｃｅ  Ｓｉｇｎａｌ）、及びアップリンクサウンディングリファレンス信号（ＳＲＳ：Ｓｏｕｎｄｉｎｇ  Ｒｅｆｅｒｅｎｃｅ  Ｓｉｇｎａｌ）のうちの少なくとも一つを含む。
【００３８】
いくつかの実施例において、前記端末が前記第三の時間リソースが第一のターゲット情報を送信又は受信するための第四の時間情報と少なくとも部分的に重なることを確定する前に、上記方法は、前記端末が前記第一の時間リソースと前記第三の時間リソースの間の時間間隔がＴより小さいことを確定し、Ｔが前記アップリンク制御情報の伝送周期を表すことをさらに含むことができる。さらに、端末は、第一の時間リソースと前記第三の時間リソースの間の時間間隔がＴ以上であることを確定した場合、アップリンク制御情報をスルーすることができる。
【００３９】
いくつかの実施例において、前記端末が前記第三の時間リソースが第一のターゲット情報を送信又は受信するための第四の時間リソースと少なくとも部分的に重なることを確定する前に、上記方法は、前記端末が前記第一の時間リソースと前記第三の時間リソースの間の時間間隔が（Ｔ-Ｑ）以下であることを確定し、Ｔが前記アップリンク制御情報の伝送周期を表し、Ｑが予め設定されたパラメータであることをさらに含むことができる。さらに、端末は、前記第一の時間リソースと前記第三の時間リソースの間の時間間隔が（Ｔ-Ｑ）より大きいことを確定した場合、アップリンク制御情報をスルーすることができる。
【００４０】
いくつかの実施例において、図３の方法は、前記端末が前記第三の時間リソースが第二のターゲット情報を送信又は受信するための第五の時間リソースと少なくとも部分的に重なることを確定することと、前記端末が前記第三の時間リソース及び／又は前記第五の時間リソースで前記アップリンク制御情報と前記第二のターゲット情報を送信又は受信することとをさらに含むことができる。
【００４１】
本発明の実施例において、第三の時間リソースが第二のターゲット情報を送信又は受信するための第五の時間リソースと衝突する場合、アップリンク制御情報を第二のターゲット情報と共に送信することができる。このようにしてアップリンク制御情報のスルーを回避することができる。
【００４２】
いくつかの実施例において、前記端末が前記第三の時間リソースが第二のターゲット情報を送信又は受信するための第五の時間リソースと少なくとも部分的に重なることを確定する前に、上記方法は、前記端末が前記第一の時間リソースと前記第三の時間リソースの間の時間間隔がＴより小さいことを確定し、Ｔが前記アップリンク制御情報の伝送周期を示すこととをさらに含むことができる。さらに、端末は、第一の時間リソースと前記第三の時間リソースの間の時間間隔がＴ以上であることを確定すると、アップリンク制御情報をスルーすることができる。
【００４３】
いくつかの実施例において、前記端末が前記第三の時間リソースが第二のターゲット情報を送信又は受信するための第五の時間リソースと少なくとも部分的に重なることを確定する前に、上記方法は、前記端末が前記第一の時間リソースと前記第三の時間リソースの間の時間間隔が（Ｔ−Ｑ）以下であることを確定し、Ｔが前記アップリンク制御情報の伝送周期を表し、Ｑが予め設定されたパラメータであることをさらに含むことができる。さらに、端末は、前記第一の時間リソースと前記第三の時間リソースの間の時間間隔が（Ｔ−Ｑ）より大きいことを確定すると、アップリンク制御情報をスルーすることができる。
【００４４】
いくつかの実施例において、第三の時間リソースは第五の時間リソースと完全に重なることができる。いくつかの例では、前記第二のターゲット情報は、ＡＣＫ／ＮＡＣＫ情報、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）に搬送される情報、ＳＲ情報、及び周期的ＣＳＩ情報のうちの少なくとも一つを含む。
【００４５】
いくつかの実施例において、前記第二の時間リソースはダウンリンクバーストデータを送信することに用いられる。例えば、第二の時間リソースは連続する複数のダウンリンクサブフレームを含む。
【００４６】
いくつかの実施例において、前記第三の時間リソースは前記第一の時間リソースの時間長に等しい。いくつかの実施例において、前記第三の時間リソースは前記第一の時間リソースの時間長に等しくない。
【００４７】
以上に図１〜図５を参照し、端末の観点から、本発明の実施例におけるアップリンク制御情報を送信するための方法を詳細に説明したが、以下に図６を参照し、基地局の観点から、本発明の実施例に係るアップリンク制御情報を送信するための方法を説明する。
【００４８】
理解すべきものとして、基地局側から説明される端末と基地局のインタラクションと関連特性、機能などがＵＥ側からの説明に対応し、簡潔にするために、繰り返し説明を適切に省略する。
【００４９】
図６は本発明の実施例に係るアップリンク制御情報を送信するための方法の概略フローチャートである。該方法は以下のステップを含む。
【００５０】
６１０において、基地局は、端末へ第一の指示情報を送信し、前記第一の指示情報がアップリンク制御情報を送信するためのターゲット搬送波における第一の時間リソースを示すことに用いられる。
【００５１】
６２０において、前記基地局は、前記端末へ第二の指示情報を送信し、前記第二の指示情報がダウンリンクデータを送信するための前記ターゲット搬送波における第二の時間リソースを示すことに用いられ、前記第一の時間リソースが前記第二の時間リソースと少なくとも部分的に重なる。
【００５２】
６３０において、前記基地局は、前記アップリンク制御情報を送信するための第三の時間リソースを確定し、前記第三の時間リソースが前記第二の時間リソースの後に位置し、且つ前記第二の時間リソースと予め設定された時間間隔を有する。
【００５３】
選択可能に、一つの実施例として、図６の方法は、前記基地局が前記第三の時間リソースで前記アップリンク制御情報を受信することをさらに含む。
【００５４】
選択可能に、一つの実施例として、図６の方法は、前記第一の時間リソースと前記第三の時間リソースの間の時間間隔がＴより小さい場合、前記基地局が前記第三の時間リソースで前記アップリンク制御情報を受信し、Ｔが前記アップリンク制御情報の伝送周期を表すことをさらに含む。
【００５５】
選択可能に、一つの実施例として、図６の方法は、前記第一の時間リソースと前記第三の時間リソースの間の時間間隔が（Ｔ−Ｑ）以下である場合、前記基地局は前記第三の時間リソースで前記アップリンク制御情報を受信し、Ｔが前記アップリンク制御情報の伝送周期を表し、Ｑが予め設定されたパラメータであることをさらに含む。
【００５６】
選択可能に、一つの実施例として、図６の方法は、前記基地局が前記第三の時間リソースが第一のターゲット情報を送信又は受信するための第四の時間リソースと少なくとも部分的に重なることを確定することと、前記基地局が前記第四の時間リソースで第一のターゲット情報のみを送信又は受信することとをさらに含む。
【００５７】
選択可能に、一つの実施例として、前記基地局が前記第三の時間リソースが第一のターゲット情報を送信又は受信するための第四の時間リソースと少なくとも部分的に重なることを確定する前に、図６の方法は、前記基地局が前記第一の時間リソースと前記第三の時間リソースの間の時間間隔がＴより小さく又は（Ｔ−Ｑ）以下であることを確定し、Ｔが前記アップリンク制御情報の伝送周期を表し、Ｑが予め設定されたパラメータであることをさらに含む。
【００５８】
選択可能に、一つの実施例として、前記第一のターゲット情報は、ＰＢＣＨ、ＰＲＡＣＨ、同期信号、ＡＣＫ／ＮＡＣＫ情報、ＣＳＩ、ＳＲ、ＣＳＩ−ＲＳ、ＣＲＳ及びアップリンクＳＲＳのうちの少なくとも一つを含む。
【００５９】
選択可能に、一つの実施例として、図６の方法は、前記基地局が前記第三の時間リソースが第二のターゲット情報を送信又は受信するための第五の時間リソースと少なくとも部分的に重なることを確定することと、前記基地局が前記第三の時間リソース及び／又は前記第五の時間リソースで前記アップリンク制御情報と前記第二のターゲット情報を送信又は受信することとをさらに含む。
【００６０】
選択可能に、一つの実施例として、前記基地局が前記第三の時間リソースが第二のターゲット情報を送信又は受信するための第五の時間リソースと少なくとも部分的に重なることを確定した場合、図６の方法は、前記基地局が前記第一の時間リソースと前記第三の時間リソースの間の時間間隔がＴより小さく又は（Ｔ−Ｑ）以下であることを確定し、Ｔが前記アップリンク制御情報の伝送周期を表し、Ｑが予め設定されたパラメータであることをさらに含む。
【００６１】
選択可能に、一つの実施例として、前記第二のターゲット情報は、ＡＣＫ／ＮＡＣＫ情報、ＰＵＳＣＨに搬送される情報、ＳＲ情報、及び周期的ＣＳＩ情報のうちの少なくとも一つを含む。
【００６２】
選択可能に、一つの実施例として、前記アップリンク制御情報は、ＳＲ情報、ＣＳＩ情報のうちの少なくとも一つを含む。
【００６３】
選択可能に、一つの実施例として、前記ターゲット搬送波はアンライセンスバンドにおける搬送波である。
【００６４】
選択可能に、一つの実施例として、前記第三の時間リソースは前記第一の時間リソースの時間長に等しい。
【００６５】
以上に図１〜図６を参照しながら本発明の実施例に係るアップリンク制御情報を送信するための方法を詳細に説明した。以下に図７〜図１０を参照して本発明の実施例に係る端末と基地局を詳細に説明する。理解すべきものとして、図７〜図１０における端末と基地局は図１〜図６における端末及び基地局で実行される各ステップを実施することができ、繰り返しを回避するために、ここでは詳細な説明を省略する。
【００６６】
図７は本発明の実施例に係る端末の概略構成図である。図７の端末７００は、
基地局から送信された第一の指示情報に基づき、アップリンク制御情報を送信するためのターゲット搬送波における第一の時間リソースを確定するように構成される第一の確定ユニット７１０と、
前記基地局から送信された第二の指示情報に基づき、ダウンリンクデータを送信するための前記ターゲット搬送波における第二の時間リソースを確定するように構成され、前記第一の時間リソースが前記第二の時間リソースと少なくとも部分的に重なる第二の確定ユニット７２０と、
前記アップリンク制御情報を送信するための第三の時間リソースを確定するように構成され、前記第三の時間リソースが前記第二の時間リソースの後に位置し、且つ前記第二の時間リソースと予め設定された時間間隔を有する第三の確定ユニット７３０とを備える。
【００６７】
選択可能に、一つの実施例として、前記端末７００は、前記第三の時間リソースで前記アップリンク制御情報を送信するように構成される第一の送受信ユニットをさらに備える。
【００６８】
選択可能に、一つの実施例として、前記端末７００は、前記第一の時間リソースと前記第三の時間リソースの間の時間間隔がＴより小さい場合、前記第三の時間リソースで前記アップリンク制御情報を送信するように構成され、Ｔが前記アップリンク制御情報の伝送周期を表す第二の送受信ユニットをさらに備える。
【００６９】
選択可能に、一つの実施例として、前記端末は、前記第一の時間リソースと前記第三の時間リソースの間の時間間隔が（Ｔ−Ｑ）以下である場合、前記第三の時間リソースで前記アップリンク制御情報を送信するように構成され、Ｔが前記アップリンク制御情報の伝送周期を表し、Ｑが予め設定されたパラメータである第三の送受信ユニットをさらに備える。
【００７０】
選択可能に、一つの実施例として、前記端末７００は、前記第三の時間リソースが第一のターゲット情報を送信又は受信するための第四の時間リソースと少なくとも部分的に重なることを確定するように構成される第四の確定ユニットと、前記第四の時間リソースで前記第一のターゲット情報のみを送信又は受信するように構成される第四の送受信ユニットとをさらに備える。
【００７１】
選択可能に、一つの実施例として、前記端末７００は、前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである第五の確定ユニットをさらに備える。
【００７２】
選択可能に、一つの実施例として、前記第一のターゲット情報は、ＰＢＣＨ、ＰＲＡＣＨ、同期信号、ＡＣＫ／ＮＡＣＫ情報、ＣＳＩ、ＳＲ、ＣＳＩ−ＲＳ、ＣＲＳ及びアップリンクＳＲＳのうちの少なくとも一つを含む。
【００７３】
選択可能に、一つの実施例として、前記端末７００は、前記第三の時間リソースが第二のターゲット情報を送信又は受信するための第五の時間リソースと少なくとも部分的に重なることを確定するように構成される第六の確定ユニットと、前記第三の時間リソース及び／又は前記第五の時間リソースで前記アップリンク制御情報と前記第二のターゲット情報を送信又は受信するように構成される第五の送受信ユニットとをさらに備える。
【００７４】
選択可能に、一つの実施例として、前記端末７００は、前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである第七の確定ユニットをさらに備える。
【００７５】
選択可能に、一つの実施例として、前記第二のターゲット情報は、ＡＣＫ／ＮＡＣＫ情報、ＰＵＳＣＨに搬送される情報、ＳＲ情報、及び周期的ＣＳＩ情報のうちの少なくとも一つを含む。
【００７６】
選択可能に、一つの実施例として、前記アップリンク制御情報はＳＲ情報、ＣＳＩ情報のうちの少なくとも一つを含む。
【００７７】
選択可能に、一つの実施例として、前記ターゲット搬送波はアンライセンスバンドにおける搬送波である。
【００７８】
選択可能に、一つの実施例として、前記第三の時間リソースは前記第一の時間リソースの時間長に等しい。
【００７９】
図８は本発明の実施例に係る端末の概略構成図である。図８の端末８００は、
プログラムを記憶するように構成されるメモリ８１０と、
プログラムを実行するように構成され、前記プログラムが実行されると、具体的に基地局から送信された第一の指示情報に基づき、アップリンク制御情報を送信するためのターゲット搬送波における第一の時間リソースを確定し、前記基地局から送信された第二の指示情報に基づき、ダウンリンクデータを送信するための前記ターゲット搬送波における第二の時間リソースを確定し、前記第一の時間リソースが前記第二の時間リソースと少なくとも部分的に重なり、前記アップリンク制御情報を送信するための第三の時間リソースを確定するように構成され、前記第三の時間リソースが前記第二の時間リソースの後に位置し、且つ前記第二の時間リソースと予め設定された時間間隔を有するプロセッサ８２０とを備える。
【００８０】
選択可能に、一つの実施例として、前記端末８００は、前記第三の時間リソースで前記アップリンク制御情報を送信するように構成される送受信機をさらに備える。
【００８１】
選択可能に、一つの実施例として、前記端末８００は、前記第一の時間リソースと前記第三の時間リソースの間の時間間隔がＴより小さい場合、前記第三の時間リソースで前記アップリンク制御情報を送信するように構成され、Ｔが前記アップリンク制御情報の伝送周期を表す送受信機をさらに備える。
【００８２】
選択可能に、一つの実施例として、前記端末８００は、前記第一の時間リソースと前記第三の時間リソースの間の時間間隔が（Ｔ−Ｑ）以下である場合、前記第三の時間リソースで前記アップリンク制御情報を送信するように構成され、Ｔが前記アップリンク制御情報の伝送周期を表し、Ｑが予め設定されたパラメータである送受信機をさらに備える。
【００８３】
選択可能に、一つの実施例として、前記プロセッサ８２０は、さらに前記第三の時間リソースが第一のターゲット情報を送信又は受信するための第四の時間リソースと少なくとも部分的に重なることを確定するように構成され、前記端末は、前記第四の時間リソースで前記第一のターゲット情報のみを送信又は受信するように構成される送受信機をさらに備える。
【００８４】
選択可能に、一つの実施例として、前記プロセッサ８２０は、さらに前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである。
【００８５】
選択可能に、一つの実施例として、前記第一のターゲット情報は、ＰＢＣＨ、ＰＲＡＣＨ、同期信号、ＡＣＫ／ＮＡＣＫ情報、ＣＳＩ、ＳＲ、ＣＳＩ−ＲＳ、ＣＲＳ及びアップリンクＳＲＳのうちの少なくとも一つを含む。
【００８６】
選択可能に、一つの実施例として、前記プロセッサ８２０は、さらに前記第三の時間リソースが第二のターゲット情報を送信又は受信するための第五の時間リソースと少なくとも部分的に重なることを確定するように構成され、前記端末は、前記第三の時間リソース及び／又は前記第五の時間リソースで前記アップリンク制御情報と前記第二のターゲット情報を送信又は受信するように構成される送受信機をさらに備える。
【００８７】
選択可能に、一つの実施例として、前記プロセッサ８２０は、さらに前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである。
【００８８】
選択可能に、一つの実施例として、前記第二のターゲット情報は、ＡＣＫ／ＮＡＣＫ情報、ＰＵＳＣＨに搬送される情報、ＳＲ情報、及び周期的ＣＳＩ情報のうちの少なくとも一つを含む。
【００８９】
選択可能に、一つの実施例として、前記アップリンク制御情報は、ＳＲ情報、ＣＳＩ情報のうちの少なくとも一つを含む。
【００９０】
選択可能に、一つの実施例として、前記ターゲット搬送はアンライセンスバンドにおける搬送波である。
【００９１】
選択可能に、一つの実施例として、前記第三の時間リソースは前記第一の時間リソースの時間長に等しい。
【００９２】
図９は本発明の実施例に係る基地局の概略構成図である。図９の基地局９００は、
端末へ第一の指示情報を送信するように構成され、前記第一の指示情報がアップリンク制御情報を送信するためのターゲット搬送波における第一の時間リソースを示すことに用いられる第一の送受信ユニット９１０と、
前記第二の端末へ第二の指示情報を送信するように構成され、前記第二の指示情報がダウンリンクデータを送信するための前記ターゲット搬送波における第二の時間リソースを示すことに用いられ、前記第一の時間リソースが前記第二の時間リソースと少なくとも部分的に重なる第二の送受信ユニット９２０と、
前記アップリンク制御情報を送信するための第三の時間リソースを確定するように構成され、前記第三の時間リソースが前記第二の時間リソースの後に位置し、且つ前記第二の時間リソースと予め設定された時間間隔を有する第一の確定ユニット９３０とを備える。
【００９３】
選択可能に、一つの実施例として、前記基地局９００は、前記第三の時間リソースで前記アップリンク制御情報を受信するように構成される第三の送受信ユニットをさらに備える。
【００９４】
選択可能に、一つの実施例として、前記基地局９００は、前記第一の時間リソースと前記第三の時間リソースの間の時間間隔がＴより小さい場合、前記第三の時間リソースで前記アップリンク制御情報を受信するように構成され、Ｔが前記アップリンク制御情報の伝送周期を表す第四の送受信ユニットをさらに備える。
【００９５】
選択可能に、一つの実施例として、前記基地局９００は、前記第一の時間リソースと前記第三の時間リソースの間の時間間隔が（Ｔ−Ｑ）以下である場合、前記第三の時間リソースで前記アップリンク制御情報を受信するように構成され、Ｔが前記アップリンク制御情報の伝送周期を表し、Ｑが予め設定されたパラメータである第五の送受信ユニットをさらに備える。
【００９６】
選択可能に、一つの実施例として、前記基地局９００は、前記第三の時間リソースが第一のターゲット情報を送信するための第四の時間リソースと少なくとも部分的に重なることを確定するように構成される第二の確定ユニットと、前記第四の時間リソースで前記第一のターゲット情報のみを送信又は受信するように構成される第六の送受信ユニットとをさらに備える。
【００９７】
選択可能に、一つの実施例として、前記基地局９００は、前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである第三の確定ユニットをさらに備える。
【００９８】
選択可能に、一つの実施例として、前記第一のターゲット情報は、ＰＢＣＨ、ＰＲＡＣＨ、同期信号、ＡＣＫ／ＮＡＣＫ情報、ＣＳＩ、ＳＲ、ＣＳＩ−ＲＳ、ＣＲＳ及びアップリンクＳＲＳのうちの少なくとも一つを含む。
【００９９】
選択可能に、一つの実施例として、前記基地局９００は、前記第三の時間リソースが第二のターゲット情報を送信又は受信するための第五の時間リソースと少なくとも部分的に重なることを確定するように構成される第四の確定ユニットと、前記第三の時間リソース及び／又は前記第五の時間リソースで前記アップリンク制御情報と前記第二のターゲット情報を送信又は受信するように構成される第七の送受信ユニットとをさらに備える。
【０１００】
選択可能に、一つの実施例として、前記基地局９００は、前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである第五の確定ユニットをさらに備える。
【０１０１】
選択可能に、一つの実施例として、前記第二のターゲット情報は、ＡＣＫ／ＮＡＣＫ情報、ＰＵＳＣＨに搬送される情報、ＳＲ情報、及び周期的ＣＳＩ情報のうちの少なくとも一つを含む。
【０１０２】
選択可能に、一つの実施例として、前記アップリンク制御情報はＳＲ情報、ＣＳＩ情報のうちの少なくとも一つを含む。
【０１０３】
選択可能に、一つの実施例として、前記ターゲット搬送波はアンライセンスバンドにおける搬送波である。
【０１０４】
選択可能に、一つの実施例として、前記第三の時間リソースは前記第一の時間リソースの時間長に等しい。
【０１０５】
図１０は本発明の実施例に係る端末の概略構成図である。図１０の端末１０００は、
端末へ第一の指示情報を送信し、前記第一の指示情報がアップリンク制御情報を送信するためのターゲット搬送波における第一の時間リソースを示すことに用いられ、前記端末へ第二の指示情報を送信するように構成され、前記第二の指示情報がダウンリンクデータを送信するための前記ターゲット搬送波における第二の時間リソースを示すことに用いられ、前記第一の時間リソースが前記第二の時間リソースと少なくとも部分的に重なる送受信機１０１０と、
前記アップリンク制御情報を送信するための第三の時間リソースを確定するように構成され、前記第三の時間リソースが前記第二の時間リソースの後に位置し、且つ前記第二の時間リソースと予め設定された時間間隔を有するプロセッサ１０２０とを備える。
【０１０６】
選択可能に、一つの実施例として、前記送受信機１０１０は、さらに前記第三の時間リソースで前記アップリンク制御情報を受信するように構成される。
【０１０７】
選択可能に、一つの実施例として、前記送受信機１０１０は、さらに前記第一の時間リソースと前記第三の時間リソースの間の時間間隔がＴより小さい場合、前記第三の時間リソースで前記アップリンク制御情報を受信するように構成され、Ｔが前記アップリンク制御情報の伝送周期である。
【０１０８】
選択可能に、一つの実施例として、前記送受信機１０１０は、さらに前記第一の時間リソースと前記第三の時間リソースの間の時間間隔が（Ｔ−Ｑ）以下である場合、前記第三の時間リソースで前記アップリンク制御情報を受信するように構成され、Ｔが前記アップリンク制御情報の伝送周期を表し、Ｑが予め設定されたパラメータである。
【０１０９】
選択可能に、一つの実施例として、前記プロセッサ１０２０は、さらに前記第三の時間リソースが第一のターゲット情報を送信又は受信するための第四の時間リソースと少なくとも部分的に重なることを確定するように構成され、第六の送受信ユニットは、前記第四の時間リソースで前記第一のターゲット情報のみを送信又は受信するように構成される。
【０１１０】
選択可能に、一つの実施例として、前記プロセッサ１０２０は、さらに前記第一の時間リソースと前記第三の時間リソースの間の時間間隔がＴより小さく又は（Ｔ−Ｑ）以下であることを確定するように構成され、Ｔがアップリンク制御情報の伝送周期を表し、Ｑが予め設定されたパラメータである。
【０１１１】
選択可能に、一つの実施例として、前記第一のターゲット情報は、ＰＢＣＨ、ＰＲＡＣＨ、同期信号、ＡＣＫ／ＮＡＣＫ情報、ＣＳＩ、ＳＲ、ＣＳＩ−ＲＳ、ＣＲＳ及びアップリンクＳＲＳのうちの少なくとも一つを含む。
【０１１２】
選択可能に、一つの実施例として、前記プロセッサ１０２０は、さらに前記第三の時間リソースが第二のターゲット情報を送信又は受信するための第五の時間リソースと少なくとも部分的に重なることを確定するように構成され、第七の送受信ユニットは前記第三の時間リソース及び／又は前記第五の時間リソースで前記アップリンク制御情報と前記第二のターゲット情報を送信又は受信するように構成される。
【０１１３】
選択可能に、一つの実施例として、前記プロセッサ１０２０は、前記第一の時間リソースと前記第三の時間リソースの間の時間間隔がＴより小さく又は（Ｔ−Ｑ）以下であることを確定するように構成され、Ｔが前記アップリンク制御情報の伝送周期を表し、Ｑが予め設定されたパラメータである。
【０１１４】
選択可能に、一つの実施例として、前記第二のターゲット情報は、ＡＣＫ／ＮＡＣＫ情報、ＰＵＳＣＨに搬送される情報、ＳＲ情報、及び周期的ＣＳＩ情報のうちの少なくとも一つを含む。
【０１１５】
選択可能に、一つの実施例において、前記アップリンク制御情報は、ＳＲ情報、ＣＳＩ情報のうちの少なくとも一つを含む。
【０１１６】
選択可能に、一つの実施例として、前記ターゲット搬送波はアンライセンスバンドにおける搬送波である。
【０１１７】
選択可能に、一つの実施例として、前記第三の時間リソースは前記第一の時間リソースの時間長に等しい。
【０１１８】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるか否かは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１１９】
当業者は便利且つ簡潔で説明するために、上述したシステム、装置とユニットの具体的な動作プロセスについて上記方法の実施例における対応するプロセスを参照でき、ここで説明を省略することを明確に理解することができる。
【０１２０】
本発明が提供するいくつかの実施例では、開示されたシステム、装置および方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニットまたは構成要素は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインタフェース、装置又はユニットを介する間接的結合又は通信接続であってもよく、電気的、機械的又は他の形態であってもよい。
【０１２１】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１２２】
また、本出願の各実施例における各機能ユニットは一つの処理ユニットに統合されてもよく、個々のユニットは単独で物理的に存在してもよく、二つまたは二つ以上のユニットは一つのユニットに統合されてもよい。
【０１２３】
前記機能はソフトウェア機能ユニットの形態で実現され且つ独立した製品として販売または使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１２４】
以上は、本発明の具体的な実施形態だけであるが、本発明の保護範囲はこれに限定されず、本分野の当業者が本出願に開示された技術範囲で容易に想到することできる変化又は置き換えは、全て本発明の保護範囲に含まれるべきである。したがって、本発明の保護範囲は前記特許請求の範囲の保護範囲を準にするべきである。
【図１】
2019509651.tif 000003
【図２】
2019509651.tif 000004
【図３】
2019509651.tif 000005
【図４】
2019509651.tif 000006
【図５】
2019509651.tif 000007
【図６】
2019509651.tif 000008
【図７】
2019509651.tif 000009
【図８】
2019509651.tif 000010
【図９】
2019509651.tif 000011
【図１０】
2019509651.tif 000012
【手続補正書】
【提出日】平成30年9月26日(2018.9.26)
【手続補正２】
【補正対象書類名】特許請求の範囲
【補正対象項目名】全文
【補正方法】変更
【補正の内容】
【特許請求の範囲】
【請求項１】
アップリンク制御情報を送信するための方法であって、
端末が基地局から送信された第一の指示情報に基づき、アップリンク制御情報を送信するためのターゲット搬送波における第一の時間リソースを確定することと、
前記端末が前記基地局から送信された第二の指示情報に基づき、ダウンリンクデータを送信するための前記ターゲット搬送波における第二の時間リソースを確定することと、
前記端末が前記アップリンク制御情報を送信するための第三の時間リソースを確定することと、を含み、
前記第一の時間リソースが前記第二の時間リソースと少なくとも部分的に重なり、
前記第三の時間リソースが前記第二の時間リソースの後に位置し、且つ前記第二の時間リソースと予め設定された時間間隔を有する、
前記アップリンク制御情報を送信するための方法。
【請求項２】
前記方法は、
前記端末が前記第三の時間リソースで前記アップリンク制御情報を送信することをさらに含むことを特徴とする
請求項１に記載の方法。
【請求項３】
前記方法は、
前記第一の時間リソースと前記第三の時間リソースの間の時間間隔がＴより小さい場合、前記端末が前記第三の時間リソースで前記アップリンク制御情報を送信すること、をさらに含み、Ｔが前記アップリンク制御情報の伝送周期を表し、
及び／又は、
前記第一の時間リソースと前記第三の時間リソースの間の時間間隔が（Ｔ−Ｑ）以下である場合、前記端末が前記第三の時間リソースで前記アップリンク制御情報を送信すること、をさらに含み、Ｔが前記アップリンク制御情報の伝送周期を表し、Ｑが予め設定されたパラメータであることを特徴とする
請求項１に記載の方法。
【請求項４】
前記方法は、
前記端末が前記第三の時間リソースが第一のターゲット情報を送信又は受信するための第四の時間リソースと少なくとも部分的に重なることを確定することと、
前記端末が前記第四の時間リソースで前記第一のターゲット情報のみを送信又は受信することと、をさらに含むことを特徴とする
請求項１に記載の方法。
【請求項５】
前記端末が前記第三の時間リソースが第一のターゲット情報を送信又は受信するための第四の時間情報と少なくとも部分的に重なることを確定する前に、前記方法は、
前記端末が前記第一の時間リソースと前記第三の時間リソースの間の時間間隔がＴより小さく又は（Ｔ−Ｑ）以下であることを確定すること、をさらに含み、Ｔが前記アップリンク制御情報の伝送周期を表し、Ｑが予め設定されたパラメータであることを特徴とする
請求項４に記載の方法。
【請求項６】
前記第一のターゲット情報は、
物理ブロードキャストチャネル（ＰＢＣＨ）、
物理ランダムアクセスチャネル（ＰＲＡＣＨ）、
同期信号、
ＡＣＫ／ＮＡＣＫ情報、
非周期的チャネル状態指示（ＣＳＩ）、
スケジューリングリクエスト（ＳＲ）、
チャネル状態情報測定リファレンス信号（ＣＳＩ−ＲＳ）、
セルリファレンス信号（ＣＲＳ）、及び
アップリンクサウンディングリファレンス信号（ＳＲＳ）のうちの少なくとも一つを含むことを特徴とする
請求項４又は５に記載の方法。
【請求項７】
前記方法は、
前記端末が、前記第三の時間リソースが、第二のターゲット情報を送信又は受信するための第五の時間リソースと少なくとも部分的に重なることを確定することと、
前記端末が前記第三の時間リソース及び／又は前記第五の時間リソースで前記アップリンク制御情報と前記第二のターゲット情報を送信又は受信することとをさらに含むことを特徴とする
請求項１に記載の方法。
【請求項８】
前記端末が前記第三の時間リソースが第二のターゲット情報を送信又は受信するための第五の時間リソースと少なくとも部分的に重なることを確定する前に、前記方法は、
前記端末が前記第一の時間リソースと前記第三の時間リソースの間の時間間隔がＴより小さく又は（Ｔ−Ｑ）以下であることを確定すること、をさらに含み、Ｔが前記アップリンク制御情報の伝送周期を表し、Ｑが予め設定されたパラメータであることを特徴とする
請求項７に記載の方法。
【請求項９】
前記第二のターゲット情報は、
ＡＣＫ／ＮＡＣＫ情報、
物理アップリンク共有チャネルＰＵＳＣＨに搬送される情報、
ＳＲ情報、及び
周期的ＣＳＩ情報のうちの少なくとも一つを含むことを特徴とする
請求項７又は８に記載の方法。
【請求項１０】
前記アップリンク制御情報は、
ＳＲ情報、
ＣＳＩ情報のうちの少なくとも一つを含むことを特徴とする
請求項１−９のいずれか１項に記載の方法。
【請求項１１】
前記ターゲット搬送波はアンライセンスバンドにおける搬送波であることを特徴とする
請求項１−１０のいずれか１項に記載の方法。
【請求項１２】
前記第三の時間リソースは前記第一の時間リソースの時間長に等しいことを特徴とする
請求項１−１１のいずれか１項に記載の方法。
【請求項１３】
アップリンク制御情報を送信するための方法であって、
基地局が端末へ第一の指示情報を送信することと、
前記基地局が前記端末へ第二の指示情報を送信することと、
前記基地局がアップリンク制御情報を送信するための第三の時間リソースを確定することと、を含み、
前記第一の指示情報が前記アップリンク制御情報を送信するためのターゲット搬送波における第一の時間リソースを示すことに用いられ、
前記第二の指示情報がダウンリンクデータを送信するための前記ターゲット搬送波における第二の時間リソースを示すことに用いられ、前記第一の時間リソースが前記第二の時間リソースと少なくとも部分的に重なり、
前記第三の時間リソースが前記第二の時間リソースの後に位置し、且つ前記第二の時間リソースと予め設定された時間間隔を有する、
前記アップリンク制御情報を送信するための方法。
【請求項１４】
端末であって、
プログラムを記憶するように構成される記憶装置と、
上記のプログラムを実行し、請求項１−１２のいずれか1項に記載の方法を実施するように構成されるプロセッサと、を含む、
ことを特徴とする前記端末。
【請求項１５】
記憶媒体であって、
端末によって実行される時に、請求項１−１２のいずれか1項に記載の方法を実施する命令を記憶する、
ことを特徴とする前記記憶媒体。
【国際調査報告】
2019509651.tif 000013
2019509651.tif 000014
2019509651.tif 000015
2019509651.tif 000016